(57)【要約】【課題】基板への配線への接続作業の効率化、作業の確実性に寄与する。【解決手段】基板ケースのベース部１０の右上角の矩形領域１６の中央部に、外壁１２に対して直交する様に、一対の平行なリブ１７，１７を一体に形成すると共に、リブ１７，１７の延長上にも、矩形領域１６に収まる様に一対の平行なリブ１８，１８を一体に形成し、リブ間に、小型基板５０の板厚よりわずかに狭い溝１９，２０を備えさせる。大型基板４０をベース部１０に対して組み付けた後、小型基板５０を溝１９，２０に差し込む様にして起立した状態にセットし、コネクタハウジング５１と４１との間にフレキシブルフラットケーブル７０を接続する。その後、小型基板５０を、溝１９，２０から抜き取り、コネクタハウジング５１を下に向けて小型基板用支柱１５ａ〜１５ｅの上端に載置し、ネジ止め固定する。【選択図】  図５
2015097648.tif 000002
【特許請求の範囲】
【請求項１】
配線で接続された基板を取り付けられている遊技機であって、以下の構成を備えていることを特徴とする遊技機。
（１Ａ）前記基板が、前記配線を接続するための配線取付機構を備えたものであること。
（１Ｂ）当該遊技機を構成する遊技機構成部品に、前記基板の縁と嵌まり合うことによって、当該基板を立たせた起立状態で保持する基板起立保持機構を備えさせたこと。
【請求項２】
さらに、以下の構成をも備えたことを特徴とする請求項１に記載の遊技機。
（２）前記基板は、前記遊技機の裏面側に組み付けられるケース体の収納空間内に組み付けられるものであり、前記基板起立保持機構を備えた遊技機構成部品が前記ケース体であること。
【請求項３】
さらに、以下の構成をも備えたことを特徴とする請求項２に記載の遊技機。
（３）前記基板起立保持機構を前記ケース体に設けられた基板組付部によって組み付けられた基板によって隠れる位置に形成しておくこと。
【請求項４】
さらに、以下の構成をも備えたことを特徴とする請求項２又は３に記載の遊技機。
（４）前記基板起立保持機構は、前記ケース体に形成され、前記基板の縁を前後から挟み付ける様にして嵌まり合う挟持部によって構成されていること。
【請求項５】
さらに、以下の構成をも備えたことを特徴とする請求項２〜４のいずれかに記載の遊技機。
（１１Ａ）前記基板は、少なくとも前記起立状態に保持される側の縁に凹凸部が形成されていること。
（１１Ｂ）前記基板起立保持機構は、前記ケース体に形成され、前記基板の縁の凹凸部と嵌まり合う凹凸又は孔からなる嵌合部によって構成されていること。
【発明の詳細な説明】
【技術分野】
【０００１】
本発明は、遊技機に係り、特に、遊技機用基板に対する配線作業を行い易くするための技術に関する。
【背景技術】
【０００２】
遊技機は、各種電子部品を搭載しており、組立作業において、基板への配線作業が必要となり、接続ミスの防止等が問題となっている（例えば、特許文献１，２）。
【０００３】
特許文献１は、遊技盤裏面構成部材に、遊技機裏面側の配線の先端に設けられたコネクタの差込部を一時的に収納可能な収納凹室を設けることで、コネクタをその本来の電気部品に対する接続作業時まで、一時的に他の部品の取り付け作業を邪魔しない位置に保留しておく構成の遊技機を提案している。 
【０００４】
特許文献２は、音声制御基板と遊技盤の主基板とを配線で接続し、パチンコ機本体に後付け可能な遊技盤の裏面側に音声制御基板を仮止めして搬送することで納品ミスをなくすと共に、受取り側での接続を不要として、接続ミスをも防止する技術を提案している。 
【先行技術文献】
【特許文献】
【０００５】
【特許文献１】特開２００２−０３５２５７（要約、図３，図７）
【特許文献２】特開２００３−１１７１９５（要約、図５，図６）
【発明の概要】
【発明が解決しようとする課題】
【０００６】
ここで、昨今の遊技機においては、遊技盤面の奥行きの確保や、可動体の設置スペース確保のために、基板ケースの薄型化、省スペース化が強く望まれており、配線に関しても薄型のフレキシブルフラットケーブルを採用することがある。
【０００７】
しかし、薄型のフレキシブルフラットケーブルは、強い力を加え過ぎてしまうと、折れ曲がってしまい断線が発生してしまうこととなり、コネクタへの接続作業を行う際には、力加減の面で配慮が必要となる。
【０００８】
また、薄型であっても幅が広いフレキシブルフラットケーブルであればまだ作業は行いやすいのであるが、幅が狭く、細いフレキシブルフラットケーブルの場合はさらに作業時に配慮が必要となり、配線作業効率が低下するという問題がある。
【０００９】
特許文献１，２の技術は、基板への配線作業の効率化、作業の確実性の担保という観点では十分な対応策を提案しているとはいえない。
【００１０】
そこで、本発明は、基板への配線への接続作業の効率化、作業の確実性に寄与することを目的としてなされた。
【課題を解決するための手段】
【００１１】
かかる目的を達成するためになされた本発明の遊技機は、配線で接続された基板を取り付けられている遊技機であって、以下の構成を備えていることを特徴とする。
（１Ａ）前記基板が、前記配線を接続するための配線取付機構を備えたものであること。
（１Ｂ）当該遊技機を構成する遊技機構成部品に、前記基板の縁と嵌まり合うことによって、当該基板を立たせた起立状態で保持する基板起立保持機構を備えさせたこと。
【００１２】
本発明の遊技機によれば、遊技機を組み立てる際、当該遊技機を構成する遊技機構成部品、例えば、基板ケース、裏ユニット、外枠などに対し、基板の縁と嵌まり合うことによって、当該基板を立たせた起立状態で保持する基板起立保持機構を備えさせる。基板に対して配線を接続するに当たっては、当該遊技機構成部品の基板起立保持機構に対して基板の縁を嵌まり合わせて起立状態に保持する。これにより、作業者は、基板を片手で持ち支える必要がなくなり、配線を基板側の配線取付機構に接続する際に両手を使って作業を行うことができる。この結果、例えば、配線としてコネクタブロックを備えないフレキシブルフラットケーブルを用いる場合に、これを基板側の配線取付機構に対して差し込むといった細かな作業も正確かつ容易に実施することができる。
【００１３】
ここで、本発明の遊技機は、さらに、以下の構成をも備えるとよい。
（２）前記基板は、前記遊技機の裏面側に組み付けられるケース体の収納空間内に組み付けられるものであり、前記基板起立保持機構を備えた遊技機構成部品が前記ケース体であること。
【００１４】
かかる構成（２）を採用することにより、最終的に基板を組み付けるケース体を作業台の上に準備してそこに備えられている基板起立保持機構に基板を起立保持した状態で上述のケーブル接続作業を実行し、その後、基板起立保持機構から基板を取り外してケース体の収納空間内に組み付けるといった一連の作業を効率よく実施することができる。
【００１５】
ここで、このケース体に基板起立保持機構を備えさせた遊技機は、さらに、以下の構成をも備えるとよい。
（２Ａ）前記ケース体は、遊技盤の裏面側に組み付けられるベース部と、該ベース部を覆うカバー部とからなること。
（２Ｂ）前記基板は、前記配線によって前記収納空間内で前記ベース部に先に設置された基板と接続されるものであること。
（２Ｃ）前記ベース部に先に設置される基板は一部に切り欠きを有し、該切り欠きの部分に対応するベース部の底壁に前記基板起立保持機構が備えられると共に、当該基板起立保持機構の近傍に、前記切り欠きを有する基板との間を配線で接続された基板を組み付ける基板組付部が備えられていること。
【００１６】
かかる構成（２Ａ）〜（２Ｃ）を採用することにより、基板起立保持機構を上側にしてベース部を作業台の上におき、切り欠きを有する基板を先に設置し、当該切り欠き付きの基板と接続すべき基板を起立保持機構にて起立保持の状態にして配線接続した後、基板を基板保持機構から取り外し、基板側配線取付機構をベース部に対面させる様に倒して基板組付部へ組み付けるといった一連の作業を効率よく実施することができる。
【００１７】
また、基板を組み付けるケース体に基板起立保持機構を備える場合、さらに、以下の構成をも備えるとよい。
（３）前記基板起立保持機構を前記ケース体に設けられた基板組付部によって組み付けられた基板によって隠れる位置に形成しておくこと。
【００１８】
上記（３）の構成をも備えることにより、配線の接続作業から組み付け作業へとスムーズに移行することができる。特に、（２Ａ）〜（２Ｃ）の構成をも備えるならば、ケース体の収納空間内に先に設置された切り欠き付き基板と接続するための配線の長さを短めにしたとしても、接続作業から組み付け作業へとスムーズに移行することができる。
【００１９】
また、基板を組み付けるケース体に基板起立保持機構を備える場合、さらに、以下の構成をも備えるとよい。
（４）前記基板起立保持機構は、前記ケース体に形成され、前記基板の縁を前後から挟み付ける様にして嵌まり合う挟持部によって構成されていること。
【００２０】
基板起立保持機構を挟持部とすることで、基板の脱着を容易に実行することができる。
【００２１】
この場合、さらに、以下の構成をも備えるとよい。
（５）前記挟持部は、前記ケース体から平行に突設された一対のリブの間に形成される溝によって構成され、前記リブは、前記溝の両端を開放した状態となる様に形成されていること。
【００２２】
挟持部を両端開放溝を形成する一対の平行なリブで構成することにより、基板の脱着時に溝に沿う方向での位置決めを気にしなくても起立保持状態とすることができ、きっちりと幅一杯に嵌り込む様な基板起立保持機構を備えるよりも、むしろ若干ルーズな作業で的確な起立保持状態を実現することができ、作業性向上の面でより望ましいものとなるからである。
【００２３】
この場合、さらに、以下の構成をも備えるとよい。
（６）前記リブは、前記ケース体の外縁に沿って形成された外壁に対して交差する方向に形成されると共に、当該外壁の一部を切り欠く様に連続していること。
【００２４】
かかる構成を採用することにより、リブ自体が外壁で補強されることとなり、挟持部としての起立保持機能を高めることができるからである。
【００２５】
一方、リブによる挟持部は、以下の構成とすることもできる。
（７）前記リブは、前記ケース体の外縁に沿って形成された外壁を前記一対のリブの一方とする様に、前記外壁に沿って形成された内壁によって構成されていること。
【００２６】
この場合、ケース体の外壁を挟持部に兼用することができるだけでなく、外壁が二重構造となり、基板を収納した後のケース体のセキュリティー向上にも寄与するものとなる。
【００２７】
なお、これらリブによる挟持部を備えた遊技機は、さらに以下の構成を備えるものとすることもできる。
（８）前記挟持部が、前記起立状態とされる基板の幅方向に離れて複数箇所となる様に、前記一対のリブは、少なくともその一方側が同一直線上で複数に分断された状態に形成されていること。
【００２８】
かかる構成（８）をも備えることにより、基板を挟持部に挟み込ませる作業において、基板を斜めにして一部を先に挟み込ませてから回転させながら全体を挟み込ませるといった具合に、起立保持状態とするための作業が容易になる。
【００２９】
また、挟持部を備えた遊技機は、リブによらず、以下の構成を備えるものとすることもできる。
（９）前記挟持部は、前記ケース体に対して、前記基板の幅よりも長く連続する様に刻設された溝によって構成されていること。
【００３０】
基板の幅よりも長く連続する溝で挟持部を構成することにより、基板を嵌め込む作業における位置合わせを面倒にすることがなく、起立保持状態とする結果得られる上述の作用・効果を発揮できる点で、本発明の目的を十分に達成し得るからである。
【００３１】
また、基板起立保持機構は、挟持部とする以外に、以下の様に構成することもできる。
（１１Ａ）前記基板は、少なくとも前記起立状態に保持される側の縁に凹凸部が形成されていること。
（１１Ｂ）前記基板起立保持機構は、前記ケース体に形成され、前記基板の縁の凹凸部と嵌まり合う凹凸又は孔からなる嵌合部によって構成されていること。
【００３２】
この場合も、基板をケース体に対して起立保持した状態で配設接続作業ができ、本発明の目的を十分に達成し得る。この構成は、挟持部に加えて備える様にしても構わない。
【００３３】
なお、この場合、さらに、以下の構成をも備えるとよい。
（１２）前記嵌合部は、前記ケース体に形成された通気孔によって構成され、前記基板側の凹凸部は、前記通気孔に嵌まり込む幅の凸部と前記通気孔の間隔に対応する凹部が繰り返し連続する形状に構成されていること。
【００３４】
この種の基板を収納するケース体には、元々通気孔が備わっていることが多く、通気孔は連続的に形成されているから、基板側に、この通気孔に嵌り込むダボとなる様な凹凸部を形成しておけば、ケース体の任意の位置に基板を起立保持することができ、作業により適する位置を作業者自身が適宜選択することができる。
【００３５】
これら本発明の遊技機は、さらに、以下の構成をも備えるとき、より効果を発揮する。
（１３）前記基板が、前記配線取付機構を両面に備えたものであること。
【００３６】
基板を片手で支えながら配線接続作業を行う場合には、片面のコネクタハウジングに対する接続作業の後に、持ち替えて反対面のコネクタハウジングに対する接続作業をする必要がある。この際に、先に接続した側のフレキシブルフラットケーブルを折り曲げない様に基板を取り扱う必要が生じる。これに対し、本発明によれば、両手をフリーにして基板への配線接続作業が可能になる結果、基板の持ち替えは必要なく、基板を起立保持した状態のままで表裏それぞれの面への配線接続作業を実行することができる。
【発明の効果】
【００３７】
本発明によれば、基板への配線への接続作業の効率化、作業の確実性に寄与することができる。
【図面の簡単な説明】
【００３８】
【図１】実施例１のパチンコ機を示し、（Ａ）は遊技盤を取り外した状態の斜視図、（Ｂ）は正面図、（Ｃ）は分解斜視図である。
【図２】実施例１において基板ケースを組み立てる様子を示す斜視図である。
【図３】実施例１において基板ケースを組み立てる様子を示し、の図２とは異なる方向から見た斜視図である。
【図４】実施例１における基板ケースのベース部を示し、（Ａ）は底面図、（Ｂ），（Ｃ）は斜視図である。
【図５】実施例１において基板ケース内に基板を組み付ける様子を示し、（Ａ）は大型基板を取り付けた状態の斜視図、（Ｂ）は小型基板を起立保持した状態の斜視図、（Ｃ）は小型基板を取り付けた状態の斜視図、（Ｄ）は小型基板を取り付けた状態の要部断面図である。
【図６】実施例１において基板ケース内に基板を組み付ける様子を異なる方向から見た図であって、（Ａ）は大型基板を取り付けた状態の斜視図、（Ｂ）は小型基板を起立保持した状態の斜視図、（Ｃ）は小型基板を取り付けた状態の斜視図である。
【図７】他の実施例を示し、（Ａ）は実施例２の要部平面図、（Ｂ）は実施例３の要部の平面図及び拡大断面図、（Ｃ）は実施例４の斜視図及び要部の断面図である。
【発明を実施するための形態】
【００３９】
以下、本発明の実施形態として、具体的な実施例を図面に基づき詳細に説明する。
【実施例１】
【００４０】
実施例１のパチンコ機Ｐは、図１に示す様に、外枠Ａ、中枠Ｂ、遊技盤１、前枠Ｄ、上の球受け皿Ｅ、下の球受け皿Ｆ及び打球発射装置Ｇを備えている。外枠Ａはパチンコ機Ｐの外郭を構成する縦長方形の枠である。中枠Ｂは、各種の遊技用構成部材をセットするための縦長方形の枠であって、外枠Ａの前面側に開閉可能かつ着脱可能に組み付けられる。遊技盤１は、中枠Ｂの開口部に取り付けられる。前枠Ｄは遊技盤１の透視保護窓であって、施錠装置Ｈの操作によって開閉可能な様に中枠Ｂの前面側に組み付けられる。上の球受け皿Ｅは、貸し球や賞球の受け皿で、本実施例においては前枠Ｄの下部と一体に構成されてる。従って、前枠Ｄを中枠Ｂに対して開閉するときに上の球受け皿Ｅも共に開閉される。下の球受け皿Ｆは、上の球受け皿Ｅが一杯になったときに排出される遊技球や打ち損じの遊技球等を受ける受け皿であって、中枠Ｂの下部に固定されている。打球発射装置Ｇは、上の球受け皿Ｅから発射レールに送り込まれた遊技球をハンドル操作に対応する強さで打ち出すための装置であって、中枠Ｂの右下部に装備される。
【００４１】
中枠Ｂは、上縁をなす上枠部材Ｂ１と、下縁をなし打球発射装置Ｇ等が設置された下枠部材Ｂ２と、左側縁をなす左枠部材Ｂ３と、右側縁をなす右枠部材Ｂ４とから構成されて、これら上下左右の枠部材Ｂ１〜Ｂ４を組み付けた際に、全体が外枠Ａの開口に整合する矩形枠状に形成される。そして、上下左右の枠部材Ｂ１〜Ｂ４を組み付けた際に開口する開口部分が、遊技盤１を設置する遊技盤保持部Ｂ５として機能する。ここで、中枠Ｂは、外枠Ａの左上端部及び左下端部に設けられた支軸を介して枢支され、左側端部を中心として中枠Ｂを回転させることで外枠Ａに対して中枠Ｂを開閉し得るようになっている。
【００４２】
遊技盤１の裏側には、裏ユニット３が取り付けられる。遊技盤１の中央には、裏面側から液晶表示装置ＬＣＤが組み付けられ、裏ユニット３で覆われる。裏ユニット３によって覆われる空間内には、この他、可動体役物及びその駆動装置、さらには制御基板等が基板ケースに収容された状態で収納される。
【００４３】
図２，図３は、基板ケース５を組み立てる様子を示している。図示の様に、基板ケース５は、ベース部１０とカバー部３０とから構成され、内部に、大型基板４０と小型基板５０とを平行にした状態で組み付ける。組立は、ベース部１０に対して大型基板４０を組み付け、次に、小型基板５０を組み付け、その後、カバー部３０を装着するという手順で実行される。大型基板４０は、角の一部が切り欠かれたＬ字形の基板となっている。小型基板５０は、この切り欠き部分に収まる幅で切り欠き部分よりも長い長方形の基板となっている。ベース部１０及びカバー部３０には、図示の様に、多数の通気孔１１，３１が形成されている。
【００４４】
ベース部１０には、図４に示す様に、外縁に沿って外壁１２が一体形成されている。そして、この外壁１２の内側には、大型基板４０の外縁やや内側を裏面から支持してベース部１０の底壁１３との間に所定の隙間をあけてベース部底壁１３と平行に設置するための５本の大型基板用支柱１４がベース部底壁１３から突設されている。また、ベース部底壁１３には、図４（Ａ）の右上角部分に当たる位置に、小型基板５０を大型基板４０との間に所定の隙間をあけて平行に設置するための５本の小型基板用支柱１５ａ〜１５ｅも突設されている。これら大型基板用支柱は、中心に突起を備え、位置決め機能を有している。一方、四隅の小型基板用支柱１５ａ〜１５ｄは中心にネジ孔が形成されていて、右側中央の小型基板用支柱１５ｅは中心に突起を備えるものとなっている。なお、小型基板用支柱１５ａ〜１５ｅの方が、大型基板用支柱１３よりも背が高いものとなっている。
【００４５】
四隅の小型基板用支柱１５ａ〜１５ｄで囲まれた矩形領域１６の中央部に、外壁１２に対して直交する様に、一対の平行なリブ１７，１７がベース部底壁１３と一体に形成されている。また、このリブ１７，１７の延長上においても、矩形領域１６に収まる様に一対の平行なリブ１８，１８がベース部底壁１３と一体に形成されている。リブ１７，１７及びリブ１８，１８の間に形成される溝１９，２０の幅は、小型基板５０の板厚よりわずかに狭くなっている。また、溝１９，２０の両端は開放となっている。この結果、外壁１２は、リブ１７，１７の溝１９によって切り欠かれた状態となっている。
【００４６】
なお、リブ１７，１８の高さは外壁１２の高さと同一である。また、ベース部底壁１３の内側に位置する方のリブ１８，１８の一方は、左下位置の小型基板用支柱１５ｄとの間を連結壁２１で連結されている。また、溝１９の図示上端と溝２０の図示下端との距離は、小型基板５０の短辺の長さとより若干長くなっている。
【００４７】
本実施例では、まず、図５（Ａ），６（Ａ）に示す様に、大型基板４０をベース部１０に対して組み付ける。この組み付け状態において、大型基板４０の上面には、小型基板５０との間をフレキシブルフラットケーブル７０で接続するためのコネクタハウジング４１がベース部１０において小型基板用支柱１５ａ〜１５ｄで囲まれた矩形領域１６の近傍に位置する様に設置されている。
【００４８】
次に、図５（Ｂ），図６（Ｂ）に示す様に、小型基板５０をリブ１７，１７の間の溝１９及びリブ１８，１８の間の溝２０に差し込む様にして起立した状態にセットする。上述の様に、溝１９，２０の幅は、小型基板５０の板厚よりわずかに狭くなっているから、小型基板５０は、ぐらつくことのない状態にしっかりと前後から挟まれて起立状態に保持される。また、この作業において、溝１９，２０の両端は開放となっているから、小型基板５０を差し込む際に、位置決めを気にしなくてもよい。なお、この際、基板ケース５内に組み立てた際に小型基板５０の大型基板４０と向かい合う方の面を、大型基板４０のコネクタハウジング４１側に向かせる。この結果、小型基板５０側のコネクタハウジング５１と大型基板４０側のコネクタハウジング４１との間にフレキシブルフラットケーブル７０を接続する作業を容易に実施することができる。
【００４９】
こうして大型基板４０との間をフレキシブルフラットケーブル７０で接続した小型基板５０を、溝１９，２０から抜き取り、図５（Ｃ），図６（Ｃ）に示す様に、コネクタハウジング５１を下に向けて小型基板用支柱１５ａ〜１５ｅの上端に載置し、ネジ止め固定する。こうして組み付けた状態において小型基板５０の上面に現れるコネクタハウジング５２〜５６に対する配線接続作業は、図５（Ｂ），図６（Ｂ）の状態で実施しておいてもよいし、図５（Ｃ），図６（Ｃ）の状態にしてから実施してもよい。
【００５０】
以上説明した様に、実施例１によれば、小型基板５０の縁を、基板ケース５のベース部１０に形成した溝１９，２０に嵌り込ませて起立状態に保持することにより、作業者は、小型基板５０を片手で持ち支える必要がなくなり、コネクタハウジング５１に対してフレキシブルフラットケーブル７０を接続する作業を両手を使って行うことができる。
【００５１】
また、溝１９，２０を基板ケース５の収納空間側となるベース部底壁１３に形成したので、小型基板５０の接続作業を終えて組み付けるという一連の作業をスムーズに実施することができる。
【００５２】
特に、溝１９，２０を小型基板用支柱１５ａ〜１５ｄで囲まれた矩形領域１６に設置しているから、大型基板４０側のコネクタハウジング４１に対して、コネクタハウジング５１を対面させる様に小型基板５０を起立保持することができ、接続作業も容易であると共に、その後の小型基板５０を溝１９，２０から抜き取って組み付ける一連の作業を一層効率よく実行することができる。加えて、大型基板４０と小型基板５０とを接続するフレキシブルフラットケーブル７０の長さを短めにしたとしても、接続作業はもちろん、その後の組み付け作業まで、効率よく的確に実行することができる。
【００５３】
また、両端が開放となった溝１９，２０で小型基板４０を起立保持する構成としたことにより、基板の脱着が容易であり、位置決めを気にせずに起立保持の状態にすることができる。加えて、途中を分断した溝１９，２０に嵌り込ませる構成となっているので、小型基板５０を溝１９，２０に挟み込ませる作業において、基板５０を斜めにして一部を先に挟み込ませてから回転させながら全体を挟み込ませるといった具合に、起立保持状態とするための作業が容易になる。
【００５４】
さらに、図４（Ａ）の上側のリブ１７，１７は外壁１２に連続していることは、補強により起立保持機能を高める効果もある。なお、図４（Ａ）の下側のリブ１８，１８も、その一方が連結壁２１で補強されているから、こちら側も起立保持機能が高められた状態となっている。
【実施例２】
【００５５】
実施例２は、図７（Ａ）に示す様に、基板ケースのベース部１０の外壁１２の内側に小型基板５０を嵌り込ませて起立保持することのできる間隔を開けて内壁８１を立設したものである。この外壁１２と内壁８１の間に小型基板５０を嵌り込ませて起立保持した状態で配線の接続作業を行うことにより、実施例１と同様に両手作業による配線接続が可能となる。
【００５６】
図７（Ａ）には、一部にだけ内壁８１を備えるものを示したが、基板ケースのベース部の外周全域に備えてもよい。好みの作業のし易い内壁部に挟持させることができる上に、全域を２重構造とすることができ、セキユリティー機能も向上する。
【実施例３】
【００５７】
実施例３は、図７（Ｂ）に示す様に、基板ケースのベース部１０の底壁１３に、小型基板５０の幅よりも長く連続する様に刻設された溝８２を備えさせ、この溝８２に基板の縁を嵌り込ませて起立保持した状態で配線の接続作業を行うことにより、実施例１，２と同様に両手作業による配線接続が可能となる。
【００５８】
溝８２は、小型基板５０の幅よりも長く連続するから、基板を嵌め込む作業における位置合わせを面倒にすることがない。また、ベース部材の平面部から突出した壁部を設ける場合よりも、基板ケース内の収容空間を広くとることができるため、基板設計の自由度が高まるメリットがある。
【実施例４】
【００５９】
実施例４は、図７（Ｃ）に示す様に、カバー部３０の通気孔３１に対応する凹凸５８を小型基板５０の縁に形成し、組立前のカバー部３０を作業台に伏せておき、その通気孔３１に凹凸５８を嵌め込んで小型基板５０を起立保持して配線接続作業を行うものである。
【００６０】
この場合も、小型基板５０を基板ケース５を構成するカバー部３０に対して起立保持した状態で、両手作業による」配設接続を実行することができる。
【００６１】
また、カバー部３０には、元々通気孔３１が備わっていて、連続的に形成されているから、カバー部３０のどの部分の通気孔３１を利用してもよく、任意の位置に小型基板５０を起立保持することができ、作業に適する位置を作業者自身が適宜選択することができる。ここで、実施例４は複数の凹凸５８を備えることとしたが、凹凸は複数でなく単数であっても基板を起立保持することは可能である。しかしながら、複数の凹凸で起立させた方が安定性が向上する。なお、凹凸は、基板の縁を切り欠いた平板状の凹凸に限らず、断面円形、断面多角形等の凹凸としても構わない。
【００６２】
この様に、各実施例によれば、基板への配線への接続作業の効率化、作業の確実性に寄与することができる。
【００６３】
以上、発明を実施するための最良の形態としての一実施例を説明したが、本発明は、これに限定されるものではなく、その要旨を逸脱しない範囲内における種々の変更が可能である。
【００６４】
基板ケースではなく、例えば、裏ユニット、外枠などに対し、基板の縁と嵌まり合うことによって、当該基板を立たせた起立状態で保持する基板起立保持機構を備えさせる様にしてもよい。
【００６５】
例えば、図１に示した裏ユニット３の内面側に基板を取り付ける必要がある場合に、当該基板を取り付ける裏ユニット３の内面側に基板起立保持機構を備えておくとよいし、裏ユニット３の内面ではなく背面側に基板を取り付ける場合には裏ユニット３の背面側に基板起立保持機構を備えておくとよい。また、中枠Ｂに対して取り付けられる外部端子板や、中継端子板などに関し、中枠Ｂの枠部材Ｂ１〜Ｂ４や遊技盤保持部Ｂ５に対して、基板起立保持機構を備えさせる様にしてもよい。さらに、裏ユニット３や中枠Ｂに直接基板を組み付ける場合は、基板ケース５には基板起立保持機構を備える必要はなく、裏ユニット３や中枠Ｂに直接、基板起立保持機構を設置する様にするとよい。
【００６６】
これら裏ユニット３や中枠Ｂに基板起立保持機構となる基板縁を挟む挟持部や、基板縁を嵌め込む溝や、基板縁と嵌り合う嵌合部を形成する場合、「配線で接続された基板を裏ユニット又は中枠に組み付けた遊技機であって、（Ａ）前記基板が、前記配線を接続するための配線取付機構を備えたものであること。（Ｂ）当該遊技機を構成する遊技機構成部品に、前記基板の縁と嵌まり合うことによって、当該基板を立たせた起立状態で保持する基板起立保持機構を備えさせたこと。」に加えて、「（Ｃ）前記基板起立保持機構に起立保持する基板の取付位置の近傍に、当該基板起立保持機構を備えさせること。」という構成をも備えておけば、実施例１等と同様に、配線の接続から基板の組み付けまでの一連の作業をスムーズに両手作業で実行することができる。
【産業上の利用可能性】
【００６７】
本発明はパチンコ機に利用することができる。
【符号の説明】
【００６８】
Ｐ・・・パチンコ機、Ａ・・・外枠、Ｂ・・・中枠、Ｂ１・・・上枠部材、Ｂ２・・・下枠部材、Ｂ３・・・左枠部材、Ｂ４・・・右枠部材、Ｂ５・・・遊技盤保持部、Ｄ・・・前枠、Ｅ・・・上の球受け皿、Ｆ・・・下の球受け皿、Ｇ・・・打球発射装置、ＬＣＤ・・・液晶表示装置。
１・・・遊技盤、３・・・裏ユニット、５・・・基板ケース、１０・・・ベース部、１１・・・通気孔、１２・・・外壁、１３・・・底壁、１４・・・大型基板用支柱、１５ａ〜１５ｅ・・・小型基板用支柱、１６・・・矩形領域、１７・・・リブ、１８・・・リブ、１９，２０・・・溝、２１・・・連結壁、３０・・・カバー部、３１・・・通気孔、４０・・・大型基板、４１・・・コネクタハウジング、５０・・・小型基板、５１・・・コネクタハウジング、５２〜５６・・・コネクタハウジング、５８・・・凹凸、７０・・・フレキシブルフラットケーブル、８１・・・内壁、８２・・・溝。
【図１】
2015097648.tif 000003
【図２】
2015097648.tif 000004
【図３】
2015097648.tif 000005
【図４】
2015097648.tif 000006
【図５】
2015097648.tif 000007
【図６】
2015097648.tif 000008
【図７】
2015097648.tif 000009